【手続補正書】
【提出日】平成28年7月20日(2016.7.20)
【手続補正１】
【補正対象書類名】特許請求の範囲
【補正対象項目名】全文
【補正方法】変更
【補正の内容】
【特許請求の範囲】
【請求項１】
制御ネットワークに結合されると共に、複数の照明器具並びにセンサ及びアクチュエータの少なくとも一方を有する照明システムを動作させる方法であって：
装置をネットワークスイッチと結合するための複数のポートを有する該ネットワークスイッチを設けるステップと、
前記照明器具並びにセンサ及びアクチュエータの前記少なくとも一方を該ネットワークスイッチに結合するための第１ポートグループを定義することにより、前記ネットワークスイッチを構成するステップであって、該第１ポートグループは前記複数のポートのうちの２以上の事前選択されたポートを有し、該第１ポートグループにおける或るポートにおいて受信されたセンサ及びアクチュエータの少なくとも一方からのブロードキャスト又はマルチキャストメッセージは、該第１ポートグループにおける残りのポートにのみに転送され、これによって、これらのポートに接続された前記装置に転送され、該第１ポートグループが前記複数のポートのうちの１以上の予約されたポートを含まないステップと、
を有する、方法。
【請求項２】
センサ及びアクチュエータの前記少なくとも一方を前記第１ポートグループにおける第１ポートに結合するステップと、
前記照明器具の１以上を前記第１ポートグループにおける残りのポートのうちの１以上のポートに結合するステップと、
前記第１ポートにおいて、該第１ポートに結合された前記センサ及びアクチュエータの少なくとも一方からの出力信号を受信するステップと、
前記ネットワークスイッチにより、受信された前記出力信号を前記第１ポートグループにおける前記残りのポートに転送するステップと、
前記第１ポートグループにおける前記１以上の残りのポートに結合された前記照明器具の１以上により、転送された前記出力信号を受信するステップと、
前記第１ポートグループにおける前記１以上の残りのポートに結合された前記１以上の照明器具により、対応する輝度を設定するステップと、
を更に有する、請求項１に記載の方法。
【請求項３】
前記ネットワークスイッチの前記１以上の予約されたポートが、他のネットワークスイッチと相互接続するため、及び／又は前記制御ネットワークのネットワークコントローラを接続するために予約されている、請求項１又は請求項２に記載の方法。
【請求項４】
前記ネットワークスイッチを構成するステップが、
前記照明器具並びにセンサ及びアクチュエータの前記少なくとも一方を結合するための第２ポートグループを定義するステップであって、前記第２ポートグループは前記複数のポートのうちの２以上の他の事前選択されたポートを有し、該第２ポートグループにおける他のポートにおいて受信された他の信号は該第２ポートグループにおける残りのポートのみに転送され、該第２ポートグループが前記第１ポートグループのポート及び前記１以上の予約されたポートを含まないステップ、
を更に有する、請求項１ないし３の何れか一項に記載の方法。
【請求項５】
前記ポートグループを定義するステップが、仮想ローカルエリアネットワークの定義又は動的ホスト構成プロトコルの使用を含む、請求項１ないし４の何れか一項に記載の方法。
【請求項６】
前記動的ホスト構成プロトコルが使用され、前記ポートグループを定義するステップが、
前記ネットワークスイッチにより、前記ポートグループに、当該ネットワークスイッチのために定義された他のポートグループに対して割り当てられるサブネットアドレスとは異なるサブネットアドレスを割り当てるステップ、
を有する、請求項５に記載の方法。
【請求項７】
前記複数の照明器具並びにセンサ及びアクチュエータの前記少なくとも一方が照明システム計画に従って前記ネットワークスイッチに結合される、請求項１ないし６の何れか一項に記載の方法。
【請求項８】
前記制御ネットワークがイーサネット（登録商標）型ネットワークであり、及び／又は前記ネットワークスイッチがイーサネット（登録商標）スイッチ、イーサネット（登録商標）ブリッジ若しくはイーサネット（登録商標）ＩＰルータ又はこれらの組み合わせである、請求項１ないし７の何れか一項に記載の方法。
【請求項９】
前記ネットワークスイッチがパワー・オーバー・イーサネット（登録商標）・ネットワークスイッチであり、当該方法が、
前記ネットワークスイッチにより、電力を前記複数の照明器具並びに／又はセンサ及びアクチュエータの前記少なくとも一方に、該ネットワークスイッチを前記複数の照明器具並びに／又はセンサ及びアクチュエータの前記少なくとも一方に接続するネットワークケーブルを介して供給するステップ、
を更に有する、請求項１ないし８の何れか一項に記載の方法。
【請求項１０】
センサ及びアクチュエータの前記少なくとも一方を前記第１ポートグループにおける第１ポートに結合するステップと、
前記照明器具の１以上を前記第１ポートグループにおける残りのポートのうちの１以上のポートに結合するステップと、
センサ及びアクチュエータの前記少なくとも一方により、センサ及びアクチュエータの該少なくとも一方のためのネットワークアドレスを取得するステップと、
センサ及びアクチュエータの前記少なくとも一方により、ブロードキャストメッセージ及びマルチキャストメッセージの一方であって各照明器具に関連付けられたネットワークアドレスについて尋問するブロードキャストメッセージ及びマルチキャストメッセージの前記一方を前記照明器具に前記ネットワークスイッチを介して送信するステップと、
ブロードキャストメッセージ及びマルチキャストメッセージの前記一方に応答して、前記照明器具により、前記関連付けられたネットワークアドレスをセンサ及びアクチュエータの前記少なくとも一方に送信するステップと、
センサ及びアクチュエータの前記少なくとも一方により、受信された前記ネットワークアドレスのうちの少なくとも１つを選択するステップと、
センサ及びアクチュエータの前記少なくとも一方により、センサ及びアクチュエータの該少なくとも一方からの出力信号を含むユニットメッセージを前記選択された少なくとも１つのネットワークアドレスに送信するステップと、
を更に有する、請求項１に記載の方法。
【請求項１１】
制御ネットワークに結合されると共に、複数の照明器具並びにセンサ及びアクチュエータの少なくとも一方を有する照明システムのためのネットワークスイッチであって：前記ネットワークスイッチは、
装置を当該ネットワークスイッチに結合するための複数のポートと、
前記複数の照明器具並びにセンサ及びアクチュエータの前記少なくとも一方を当該ネットワークスイッチに結合するための第１ポートグループを定義するコントローラであって、該第１ポートグループは前記複数のポートのうちの２以上の事前選択されたポートを有し、前記ネットワークスイッチは、該第１ポートグループにおける第１ポートにおいて受信されたブロードキャスト又はマルチキャストメッセージを該第１ポートグループにおける残りのポートのみに転送し、該第１ポートグループが前記複数のポートのうちの１以上の予約されたポートを含まないコントローラと、
を有する、ネットワークスイッチ。
【請求項１２】
前記第１ポートグループの定義が、仮想ローカルエリアネットワークの定義又は動的ホスト構成プロトコルの使用を含む、請求項１１に記載のネットワークスイッチ。
【請求項１３】
少なくとも１つのネットワークスイッチを有すると共に制御ネットワークに結合される照明システムのためのセンサ又はアクチュエータであって：前記センサ又はアクチュエータは、
前記ネットワークスイッチから、当該センサ又はアクチュエータのネットワークアドレスを取得する取得ユニットと、
前記ネットワークスイッチを介してブロードキャストメッセージ及びマルチキャストメッセージの一方を前記照明システムの照明器具に送信する送信器であって、当該メッセージが各照明器具に関連付けられたネットワークアドレスについて尋問する送信器と、
前記照明器具により送信されたネットワークアドレスを受信する受信器と、
前記受信されたネットワークアドレスの１以上を選択する選択器と、
を有し、前記送信器がセンサ又はアクチュエータ出力信号を前記１以上の選択されたネットワークアドレスのみにユニキャストする、センサ又はアクチュエータ。
【請求項１４】
少なくとも１つのネットワークスイッチを有すると共に制御ネットワークに結合される照明システムのための照明器具であって：前記照明器具は、
前記ネットワークスイッチから、当該照明器具のためのネットワークアドレスを取得する取得ユニットと、
前記ネットワークスイッチに結合されたセンサ又はアクチュエータからブロードキャストメッセージ及びマルチキャストメッセージの一方を受信する受信器であって、当該メッセージが当該照明器具に関連付けられたネットワークアドレスについて尋問する受信器と、
ブロードキャストメッセージ及びマルチキャストメッセージの前記一方に応答して、当該照明器具のネットワークアドレスを前記センサ又はアクチュエータに送信する送信器と、
当該照明器具を、前記センサ又はアクチュエータにより該照明器具に送信されたユニキャストメッセージに含まれる出力信号に応じて制御するコントローラと、
を有する、照明器具。
【請求項１５】
照明システムを動作させるためのコンピュータプログラムであって、前記照明システムを制御するコンピュータ上で実行された場合に、該照明システムに請求項１ないし１０の何れか一項に記載された方法のステップを実行させるプログラムコード手段を有する、コンピュータプログラム。